(57)【特許請求の範囲】
【請求項１】
基材層と易剥離性シーラント層とがラミネートされた積層フィルムから成る簡易開封性袋体であって、積層フィルムを易剥離性シーラント層を内側にしてその両側縁部を重ね合わせたうえ、上記重ね合わせた部分を端縁部を除き溶着してイージーピール部を形成し、上記重ね合わせた部分の端縁部を互いに開いてイージーピール部の引き剥がし部と成すとともに、イージーピール部と一方および他方の引き剥がし部のうち他方の引き剥がし部を袋体の面に沿わせ、かつ一方の引き剥がし部を袋体の面に沿わせたイージーピール部の上に沿わせるように形成したことを特徴とする簡易開封性袋体。
【請求項２】
イージーピール部の引き剥がし部に滑り止めを施したことを特徴とする請求項１に記載の簡易開封性袋体。
【発明の詳細な説明】
【０００１】
【発明の属する技術分野】
本発明は、基材層と易剥離性シーラント層とがラミネートされた積層フィルムから成る簡易開封性袋体であって、食品加工工場などにおいて食品材料などを取り出す工程で容易に開封できる簡易開封性袋体に関する。
【０００２】
【従来の技術】
従来の簡易開封性袋体としては、袋体に包装した内容物に折れ線を設け、その折れ線にしたがって両側縁部を重ね合わせたうえ溶着して易開封部を形成したものが知られている（実公平２−１５８１２号公報参照）。
【０００３】
【発明が解決しようとする課題】
ところで、従来の上記簡易開封性袋体にあっては、易開封部（イージーピール部）が平面状であるために、食品加工工場において袋体を易開封部を開封していくうちに指に食品の油脂分あるいは水分が付着することがあると、袋体を開封するときに指が滑るので、開封が容易でなくまた困難になる。
【０００４】
また、従来の上記簡易開封性袋体にあっては、易開封部の端縁部分が若干開いているが、袋体を積み重ねたり、易開封部側を下にして置くことにより易開封部が押し付けられると、易開封部の端縁部が互いに密着してしまうので、この状態においても易開封部の開封に支障を生じる。
【０００５】
さらに、従来の上記簡易開封性袋体にあっては、易開封部分が袋体の面から立ち上がったり浮き上がっているので、袋体の保管や移送などにあたって易開封部分がその妨げとなることがある。
【０００６】
そこで、本発明は、イージーピール部の端縁部を互いに開いてイージーピール部の引き剥がし部と成すとともに、この引き剥がし部を袋体の面に沿うように形成したことにより、イージーピール部の引き剥がし部がどのような状況下でも開いていて、イージーピール部の開封が容易かつ確実にでき、しかも、イージーピール部の引き剥がし部が袋体の面に沿っていて、袋体に内容物が充填されていても、袋体の保管や移送などにあたってイージーピール部の引き剥がし部がその妨げとなることがない簡易開封性袋体を提供することを目的とする。
【０００７】
【課題を解決するための手段】
上記目的を達成するため、本発明に係る簡易開封性袋体は、基材層と易剥離性シーラント層とがラミネートされた積層フィルムから成る簡易開封性袋体であって、積層フィルムを易剥離性シーラント層を内側にしてその両側縁部を重ね合わせたうえ、上記重ね合わせた部分を端縁部を除き溶着してイージーピール部を形成し、上記重ね合わせた部分の端縁部を互いに開いてイージーピール部の引き剥がし部と成すとともに、イージーピール部と一方および他方の引き剥がし部のうち他方の引き剥がし部を袋体の面に沿わせ、かつ一方の引き剥がし部を袋体の面に沿わせたイージーピール部の上に沿わせるように形成したものである。
【０００８】
本発明は、上記構成において、イージーピール部の引き剥がし部に滑り止めを施すことが好適である。
【０００９】
【発明の実施の形態】
図１ないし図４は本発明の一実施の形態を示し、図１は簡易開封性袋体の全体斜視図、図２は袋体の層構成を示す拡大断面図、図３は図１に示す袋体の一部の拡大断面図、図４は図１に示す袋体の開封過程を示す一部の拡大断面図である。
【００１０】
図５および図６は本発明の他の実施の形態を示し、図５は簡易開封性袋体の全体斜視図、図６は図５に示す袋体の一部の拡大断面図である。また、図７は図５に示す簡易開封性袋体を構成する積層フィルムに滑り止めを施す加工手段を説明する側面図、図８は図７の平面図である。
【００１１】
図１において、１は簡易開封性袋体（適宜、袋体と称することもある）である。この簡易開封性袋体１は、図２に示すように、基材層２と易剥離性シーラント層３とがラミネートされた積層フィルム４で構成されている。
【００１２】
簡易開封性袋体１は、積層フィルム４を易剥離性シーラント層３を内側にして図３に示すように、その両側縁部５，５を重ね合わせたうえ、上記重ね合わせた部分６を端縁部を除き溶着してイージーピール部７を形成し、上記重ね合わせた部分６の端縁部を互いに開いてイージーピール部７の引き剥がし部８，９と成すとともに、イージーピール部７と一方および他方の引き剥がし部８，９のうち他方の引き剥がし部９を袋体１の面に沿わせ、かつ一方の引き剥がし部８を袋体１の面に沿わせたイージーピール部７の上に沿わせるように形成したものである。袋体１の両端縁部は端縁溶着部１０，１０を成し、袋体１は密封されている。イージーピール部７は、袋体１の両側縁から略中間線上に位置している。また、引き剥がし部８，９を袋体１の面に沿うように形成することに加えて、図１または図５に示すように引き剥がし部８，９を端縁溶着部１０，１０と重なる部分に線状の折り目を付すことにより、保形効果を一層向上することができる。
【００１３】
上記袋体１の面に沿うように形成したイージーピール部７の引き剥がし部８，９は、図３に示すように、その一方が折り返されて袋体１の面に沿っているイージーピール部７の上に沿い、他方がイージーピール部７から延びて袋体１の面に直に沿っている。なお、図３においては、一方の引き剥がし部８とイージーピール部７との間、イージーピール部７および他方の引き剥がし部９と袋体１の面との間に若干の間隔１１，１１を有するように描いているが、これらの間隔は必ずしも要しない。しかし、若干の間隔１１，１１を設けておけば、引き剥がし部８，９を指で摘むことが容易にできる点で有利であり、また、引き剥がし部８はイージーピール部７の上に略重なるようにしているが、引き剥がし部８をイージーピール部７より幅を長くしておけば、引き剥がし部８を指で摘むことが容易にできる点で有利である。
【００１４】
簡易開封性袋体１を構成する積層フィルム４の基材層２は、ポリプロピレン、ポリ塩化ビニル、ポリエチレンテレフタート、ポリエチレンナフタレート、ポリブチレンテレフタレート等、剛性にすぐれていて融点が１８０℃以上の比較的高い熱可塑性樹脂層、ポリアミド、ポリ塩化ビニリデン、エチレン酢酸ビニル共重合体けん化物等、剛性およびバリア性にすぐれた熱可塑性樹脂層、または、それらの層にアルミニウム箔や紙等を組み合わせた多層構造積層体である。
【００１５】
積層フィルム４の易剥離性シーラント層３は、直鎖状低密度ポリエチレン、高圧法低密度ポリエチレン、エチレン酢酸ビニル共重合体、エチレン・エチルアクリレート樹脂等、融点が１２０℃以下の比較的低い熱可塑性樹脂層である。
【００１６】
基材層２と易剥離性シーラント層３のラミネート法は、押出しラミネート法、ドライラミネート法、ウエットラミネート法、ホットメトルラミネート法等である。
【００１７】
本発明に係る簡易開封性袋体１は、例えば各種食品材料を充填包装するものであるが、食品材料等の充填には、公知の縦ピロー包装機または横ピロー包装機等が使用される。
【００１８】
図１のように、内容物が充填包装された簡易開封性袋体１を開封するにあたっては、袋体１をそのイージーピール部７が上になるように置き、イージーピール部７の引き剥がし部８，９のいずれか一方または両方を図３に示す状態で摘んで、図４に示すように引き上げ、イージーピール部７を袋体１の面から立ち上げるようにする。次いで、両方の引き剥がし部８，９を互いに開く方向に引っ張ることにより、イージーピール部７を容易かつ確実に開封することができる。
【００１９】
図５および図６に示す本発明の他の実施の形態にあっては、イージーピール部７の引き剥がし部８，９に、滑り止め１２，１２を施している。その他の構成は、図１ないし図４に示す本発明の一実施の形態と同等であるから、同構成部位には同符号を付して説明を省略する。
【００２０】
引き剥がし部８，９の滑り止め１２，１２は、シーラント層３に穿孔、凹凸あるいは引っかき傷等を施すことにより、引き剥がし部８，９を粗面に形成したものである。
【００２１】
なお、滑り止め１２，１２は、図５に示すように必ずしも引き剥がし部８，９の全長にわたって形成しなくても、袋体１を開封しやすい部位のみに設けてもよい。
【００２２】
イージーピール部７の引き剥がし部８，９の滑り止め１２，１２は、例えば、図７および図８に示す加工手段によって形成される。すなわち、積層フィルム４のドライラミネート直前の工程で、シーラント層３と成るフィルム１３に多数の穿孔針を有する加工ローラ１４，１４で微小な孔を形成することにより、基材層２と成るフィルム１５にラミネ−トされる積層フィルム４の両側縁部に滑り止め１２，１２が施され、これによって引き剥がし部８，９に滑り止め１２，１２が形成される。図７および図８において、１６は加工ローラ１４の受部材、１７，１７は中間ローラ、１８，１８は積層ローラである。
【００２３】
滑り止め１２，１２は、上記のように加工ローラ１４，１４によって穿孔するほか、凹凸加工や引っかき加工など、シーラント層３の表面を粗面に形成する他の適宜の手段によって施すことができる。
【００２４】
【発明の効果】
本発明によれば、イージーピール部の端縁部を互いに開いてイージーピール部の引き剥がし部と成すとともに、この引き剥がし部を袋体の面に沿うように形成したことにより、イージーピール部の引き剥がし部がどのような状況下でも開いていて、イージーピール部の開封が容易かつ確実にでき、しかも、イージーピール部の引き剥がし部が袋体の面に沿っていて、袋体に内容物が充填されていても、袋体の保管や移送などにあたってイージーピール部の引き剥がし部がその妨げとなることがない簡易開封性袋体を得ることができる。
【図面の簡単な説明】
【図１】本発明の一実施の形態に係る簡易開封性袋体の全体斜視図である。
【図２】図１の袋体の層構成を示す拡大断面図である。
【図３】図１に示す袋体の一部の拡大断面図である。
【図４】図１に示す袋体の開封過程を示す一部の拡大断面図である。
【図５】本発明の他の実施の形態に係る簡易開封性袋体の全体斜視図である。
【図６】図５に示す袋体の一部の拡大断面図である。
【図７】図５に示す簡易開封性袋体を構成する積層フィルムに滑り止めを施す加工手段を説明する側面図である。
【図８】図７の平面図である。
【符号の説明】
１  簡易開封性袋体
２  基材層
３  易剥離性シーラント層
４  積層フィルム
５，５  積層フィルム４の両側縁部
６  重ね合わせ部
７  イージーピール部
８，９  引き剥がし部
１０，１０  端縁溶着部
１１，１１  若干の間隔
１２，１２  滑り止め
１３  シーラント層３と成るフィルム
１４  加工ローラ
１５  基材層２と成るフィルム
１６  受部材
１７，１７  中間ローラ
１８，１８  積層ローラ
【図１】
0003921236.tif 000002
【図２】
0003921236.tif 000003
【図３】
0003921236.tif 000004
【図４】
0003921236.tif 000005
【図５】
0003921236.tif 000006
【図６】
0003921236.tif 000007
【図７】
0003921236.tif 000008
【図８】
0003921236.tif 000009